(57)【要約】本発明は、送信信号に対してを分岐処理を行って、主チャネルで伝送された主チャネル信号と補助チャネルで伝送された補助チャネル信号を取得することと、前記主チャネル信号と前記補助チャネル信号に対してそれぞれデジタル領域チャネル特性マッチング処理を行って、主チャネル特性マッチング信号と補助チャネル特性マッチング信号を取得することと、信号相殺を行うように、受信チャネルに結合された前記主チャネル特性マッチング信号と前記補助チャネル特性マッチング信号に対して、結合処理を行うこととを含む、無線通信システムの信号相殺方法を開示する。また、本発明は、無線通信システムの信号相殺装置を開示する。本発明の技術的解決手段により、広帯域の信号相殺問題をより良く解決することができる。【選択図】図１
2016522626.tif 000002
【特許請求の範囲】
【請求項１】
無線通信システムの信号相殺方法であって、
送信信号に対して分岐処理を行って、主チャネルで伝送された主チャネル信号と補助チャネルで伝送された補助チャネル信号を取得することと、
前記主チャネル信号と前記補助チャネル信号に対してそれぞれデジタル領域チャネル特性マッチング処理を行って、主チャネル特性マッチング信号と補助チャネル特性マッチング信号を取得することと、
信号相殺を行うように、受信チャネルに結合された前記主チャネル特性マッチング信号と前記補助チャネル特性マッチング信号に対して、結合処理を行うこととを含む、無線通信システムの信号相殺方法。
【請求項２】
前記主チャネル信号と前記補助チャネル信号に対してそれぞれデジタル領域チャネル特性マッチング処理を行って、主チャネル特性マッチング信号と補助チャネル特性マッチング信号を取得することは、
主チャネルで伝送された前記主チャネル信号に対してデジタル領域固定遅延処理を行って、主チャネル特性マッチング信号を取得し、
補助チャネルで伝送された前記補助チャネル信号に対してデジタル領域マッチングフィルタリング処理を行って、補助チャネル特性マッチング信号を取得することを含むことを特徴とする
請求項１に記載の無線通信システムの信号相殺方法。
【請求項３】
前記主チャネル信号と前記補助チャネル信号に対してそれぞれデジタル領域チャネル特性マッチング処理を行って、主チャネル特性マッチング信号と補助チャネル特性マッチング信号を取得することは、
主チャネルで伝送された前記主チャネル信号に対してデジタル領域固定遅延処理を行って、主チャネル特性マッチング信号を取得し、
補助チャネルで伝送された前記補助チャネル信号に対してデジタル領域位相調整、振幅調整、遅延調整を行って、補助チャネル特性マッチング信号を取得することを含むことを特徴とする
請求項１に記載の無線通信システムの信号相殺方法。
【請求項４】
前記主チャネル信号と前記補助チャネル信号に対してそれぞれデジタル領域チャネル特性マッチング処理を行って、主チャネル特性マッチング信号と補助チャネル特性マッチング信号を取得することは、
主チャネルで伝送された前記主チャネル信号に対してデジタル領域固定遅延処理を行って、主チャネル特性マッチング信号を取得し、
補助チャネルで伝送された前記補助チャネル信号に対してデジタル領域周波数帯域分割を行って、複数の補助チャネルサブ信号を取得し、
各補助チャネル入力サブ信号に対してマッチングフィルタリング処理または位相調整、振幅調整、遅延調整を行って、複数の補助チャネル特性マッチングサブ信号を取得し、
前記複数の補助チャネル特性マッチングサブ信号に対して、結合処理を行って、補助チャネル特性マッチング信号を取得することを含むことを特徴とする
請求項１に記載の無線通信システムの信号相殺方法。
【請求項５】
前記結合処理の後、
結合処理の後に取得された出力信号を検出することと、
出力信号を検出した場合、前記出力信号の搬送波エネルギー値とエネルギー閾値を比較することと、
前記出力信号の搬送波エネルギー値が前記エネルギー閾値より大きいことを確定した場合、前記主チャネルで伝送された信号と前記補助チャネルで伝送された信号を相殺させるように、前記出力信号の搬送波エネルギー値に基づいて、前記主チャネルと前記補助チャネルのチャネル特性を調整することと、
前記出力信号の搬送波エネルギー値が前記エネルギー閾値より以下であることを確定した場合、前記主チャネルと前記補助チャネルのチャネル特性を維持することとをさらに含むことを特徴とする
請求項２〜４のいずれか１項に記載の無線通信システムの信号相殺方法。
【請求項６】
無線通信システムの信号相殺装置であって
送信信号に対して分岐処理を行って、主チャネルで伝送された主チャネル信号と補助チャネルで伝送された補助チャネル信号を取得するように構成される分岐モジュールと、
前記主チャネル信号と前記補助チャネル信号に対してそれぞれデジタル領域チャネル特性マッチング処理を行って、主チャネル特性マッチング信号と補助チャネル特性マッチング信号を取得するように構成されるデジタル領域チャネル特性マッチング実行モジュールと、
信号相殺を行うように、受信チャネルに結合された前記主チャネル特性マッチング信号と前記補助チャネル特性マッチング信号に対して、結合処理を行うように構成される相殺モジュールとを含む、無線通信システムの信号相殺装置。
【請求項７】
前記デジタル領域チャネル特性マッチング実行モジュールは、
主チャネルで伝送された前記主チャネル信号に対してデジタル領域固定遅延処理を行って、主チャネル特性マッチング信号を取得するように構成される固定遅延器と、
補助チャネルで伝送された前記補助チャネル信号に対してデジタル領域マッチングフィルタリング処理を行って、補助チャネル特性マッチング信号を取得するように構成されるデジタルマッチングフィルタとを含むことを特徴とする
請求項６に記載の無線通信システムの信号相殺装置。
【請求項８】
前記デジタル領域チャネル特性マッチング実行モジュールは、
主チャネルで伝送された前記主チャネル信号に対してデジタル領域固定遅延処理を行って、主チャネル特性マッチング信号を取得するように構成される固定遅延器と、
補助チャネルで伝送された前記補助チャネル信号に対してデジタル領域位相調整、振幅調整、遅延調整を行って、補助チャネル特性マッチング信号を取得するように構成される位相振幅遅延調整器とを含むことを特徴とする
請求項６に記載の無線通信システムの信号相殺装置。
【請求項９】
前記デジタル領域チャネル特性マッチング実行モジュールは、
主チャネルで伝送された前記主チャネル信号に対してデジタル領域固定遅延処理を行って、主チャネル特性マッチング信号を取得するように構成される固定遅延器と、
補助チャネルで伝送された前記補助チャネル信号に対してデジタル領域周波数帯域分割を行って、複数の補助チャネルサブ信号を取得するように構成される複数のバンドパスフィルタと、
各補助チャネル入力サブ信号に対してマッチングフィルタリング処理を行って、複数の補助チャネル特性マッチングサブ信号を取得するように構成されるデジタルマッチングフィルタ、または、
各補助チャネル入力サブ信号に対して位相調整、振幅調整、遅延調整を行って、複数の補助チャネル特性マッチングサブ信号を取得するように構成される位相振幅遅延調整器と、
前記複数の補助チャネル特性マッチングサブ信号に対して、結合処理を行って、補助チャネル特性マッチング信号を取得するように構成される結合器とを含むことを特徴とする
請求項６に記載の無線通信システムの信号相殺装置。
【請求項１０】
チャネル特性計算制御モジュールをさらに含み、前記チャネル特性計算制御モジュールは、
結合処理の後に取得された出力信号を検出するように構成される第一の検出器と、
出力信号を検出した場合、前記出力信号の搬送波エネルギー値とエネルギー閾値を比較するように構成される第一の比較器と、
前記出力信号の搬送波エネルギー値が前記エネルギー閾値より大きいことを確定した場合、前記主チャネルで伝送された信号と前記補助チャネルで伝送された信号を相殺させるように、前記出力信号の搬送波エネルギー値に基づいて、前記主チャネルと前記補助チャネルのチャネル特性を調整するように構成される第一の調整器と、
前記出力信号の搬送波エネルギー値が前記エネルギー閾値より以下であることを確定した場合、前記主チャネルと前記補助チャネルのチャネル特性を維持するように構成される第一の保持器とを含むことを特徴とする
請求項７〜９のいずれか１項に記載の無線通信システムの信号相殺装置。
【発明の詳細な説明】
【技術分野】
【０００１】
本発明は、無線通信技術に関し、特に無線通信システムの信号相殺方法および関連装置に関する。
【背景技術】
【０００２】
無線通信システムにおいて、システムの各部分が互いに干渉することを防止し、システムの内部の電磁両立性を保証し、各部分を正常に動作させるために、通常、シールド、フィルタリング、波吸収などの受動的な手段を採用して隔離などを増強して、相互間影響が無視できることを保証する。受動的なシールドと受動的なフィルタリングなどの手段を採用した場合、装置の体積および重量が大きく、コストが高い。
【０００３】
通信技術の発展に伴い、オペレータの無線通信装置に対する小型化、軽量化の需要が高まる。無線通信装置の小型化は、緑と低炭素の流れにも応える。従来の隔離手段は、装置の小型化需要を満たすことが困難である。
【０００４】
従来技術におけるアナログ領域相殺技術は、チャネル特性マッチングがアナログ領域に行われ、振幅、位相と遅延などの特性が非常に微細に制御されることができず、チャネル粒度に応じて全体として制御され、帯域内の特性起伏の相殺結果に対する影響を解決できないので、帯域を広げることができず、狭帯域の相殺のみに適合する。
【発明の概要】
【発明が解決しようとする課題】
【０００５】
本発明の実施形態の目的は、広帯域の信号相殺問題をより良く解決することができる、無線通信システムの信号相殺方法および装置を提供することにある。
【課題を解決するための手段】
【０００６】
本発明の実施形態に係る無線通信システムの信号相殺方法は、送信信号に対して分岐処理を行って、主チャネルで伝送された主チャネル信号と補助チャネルで伝送された補助チャネル信号を取得することと、前記主チャネル信号と前記補助チャネル信号に対してそれぞれデジタル領域チャネル特性マッチング処理を行って、主チャネル特性マッチング信号と補助チャネル特性マッチング信号を取得することと、信号相殺を行うように、受信チャネルに結合された前記主チャネル特性マッチング信号と前記補助チャネル特性マッチング信号に対して、結合処理を行うこととを含む。
【０００７】
好ましくは、前記主チャネル信号と前記補助チャネル信号に対してそれぞれデジタル領域チャネル特性マッチング処理を行って、主チャネル特性マッチング信号と補助チャネル特性マッチング信号を取得することは、主チャネルで伝送された前記主チャネル信号に対してデジタル領域固定遅延処理を行って、主チャネル特性マッチング信号を取得し、補助チャネルで伝送された前記補助チャネル信号に対してデジタル領域マッチングフィルタリング処理を行って、補助チャネル特性マッチング信号を取得することを含む。
【０００８】
好ましくは、前記主チャネル信号と前記補助チャネル信号に対してそれぞれデジタル領域チャネル特性マッチング処理を行って、主チャネル特性マッチング信号と補助チャネル特性マッチング信号を取得することは、主チャネルで伝送された前記主チャネル信号に対してデジタル領域固定遅延処理を行って、主チャネル特性マッチング信号を取得し、補助チャネルで伝送された前記補助チャネル信号に対してデジタル領域位相調整、振幅調整、遅延調整を行って、補助チャネル特性マッチング信号を取得することを含む。
【０００９】
好ましくは、前記主チャネル信号と前記補助チャネル信号に対してそれぞれデジタル領域チャネル特性マッチング処理を行って、主チャネル特性マッチング信号と補助チャネル特性マッチング信号を取得することは、主チャネルで伝送された前記主チャネル信号に対してデジタル領域固定遅延処理を行って、主チャネル特性マッチング信号を取得し、補助チャネルで伝送された前記補助チャネル信号に対してデジタル領域周波数帯域分割を行って、複数の補助チャネルサブ信号を取得し、各補助チャネル入力サブ信号に対してマッチングフィルタリング処理、または位相調整、振幅調整、遅延調整を行って、複数の補助チャネル特性マッチングサブ信号を取得し、前記複数の補助チャネル特性マッチングサブ信号に対して、結合処理を行って、補助チャネル特性マッチング信号を取得することを含む。
【００１０】
好ましくは、前記結合処理の後、結合処理の後に取得された出力信号を検出することと、出力信号を検出した場合、前記出力信号の搬送波エネルギー値とエネルギー閾値を比較することと、前記出力信号の搬送波エネルギー値が前記エネルギー閾値より大きいことを確定した場合、前記主チャネルで伝送された信号と前記補助チャネルで伝送された信号を相殺させるように、前記出力信号の搬送波エネルギー値に基づいて、前記主チャネルと前記補助チャネルのチャネル特性を調整することと、前記出力信号の搬送波エネルギー値が前記エネルギー閾値より以下であることを確定した場合、前記主チャネルと前記補助チャネルのチャネル特性を維持することとをさらに含む。
【００１１】
本発明の実施形態に係る無線通信システムの信号相殺装置は、送信信号に対して分岐処理を行って、主チャネルで伝送された主チャネル信号と補助チャネルで伝送された補助チャネル信号を取得するように構成される分岐モジュールと、前記主チャネル信号と前記補助チャネル信号に対してそれぞれデジタル領域チャネル特性マッチング処理を行って、主チャネル特性マッチング信号と補助チャネル特性マッチング信号を取得するように構成されるデジタル領域チャネル特性マッチング実行モジュールと、信号相殺を行うように、受信チャネルに結合された前記主チャネル特性マッチング信号と前記補助チャネル特性マッチング信号に対して、結合処理を行うように構成される相殺モジュールとを含む。
【００１２】
好ましくは、前記デジタル領域チャネル特性マッチング実行モジュールは、主チャネルで伝送された前記主チャネル信号に対してデジタル領域固定遅延処理を行って、主チャネル特性マッチング信号を取得するように構成される固定遅延器と、補助チャネルで伝送された前記補助チャネル信号に対してデジタル領域マッチングフィルタリング処理を行って、補助チャネル特性マッチング信号を取得するように構成されるデジタルマッチングフィルタとを含む。
【００１３】
好ましくは、前記デジタル領域チャネル特性マッチング実行モジュールは、主チャネルで伝送された前記主チャネル信号に対してデジタル領域固定遅延処理を行って、主チャネル特性マッチング信号を取得するように構成される固定遅延器と、補助チャネルで伝送された前記補助チャネル信号に対してデジタル領域位相調整、振幅調整、遅延調整を行って、補助チャネル特性マッチング信号を取得するように構成される位相振幅遅延調整器とを含む。
【００１４】
好ましくは、前記デジタル領域チャネル特性マッチング実行モジュールは、主チャネルで伝送された前記主チャネル信号に対してデジタル領域固定遅延処理を行って、主チャネル特性マッチング信号を取得するように構成される固定遅延器と、補助チャネルで伝送された前記補助チャネル信号に対してデジタル領域周波数帯域分割を行って、複数の補助チャネルサブ信号を取得するように構成される複数のバンドパスフィルタと、各補助チャネル入力サブ信号に対してマッチングフィルタリング処理を行って、複数の補助チャネル特性マッチングサブ信号を取得するように構成されるデジタルマッチングフィルタ、または、各補助チャネル入力サブ信号に対して位相調整、振幅調整、遅延調整を行って、複数の補助チャネル特性マッチングサブ信号を取得するように構成される位相振幅遅延調整器と、前記複数の補助チャネル特性マッチングサブ信号に対して結合処理を行って、補助チャネル特性マッチング信号を取得するように構成される結合器とを含む。
【００１５】
好ましくは、前記装置は、チャネル特性計算制御モジュールをさらに含み、前記チャネル特性計算制御モジュールが結合処理の後に取得された出力信号を検出するように構成される第一の検出器と、出力信号を検出した場合、前記出力信号の搬送波エネルギー値とエネルギー閾値を比較するように構成される第一の比較器と、前記出力信号の搬送波エネルギー値が前記エネルギー閾値より大きいことを確定した場合、前記主チャネルで伝送された信号と前記補助チャネルで伝送された信号を相殺させるように、前記出力信号の搬送波エネルギー値に基づいて、前記主チャネルと前記補助チャネルのチャネル特性を調整するように構成される第一の調整器と、前記出力信号の搬送波エネルギー値が前記エネルギー閾値より以下であることを確定した場合、前記主チャネルと前記補助チャネルのチャネル特性を維持するように構成される第一の保持器とを含む。
【００１６】
本発明の実施形態に係る無線通信システムの信号相殺方法および装置において、まず送信信号に対して分岐処理を行って、主チャネルで伝送された主チャネル信号と補助チャネルで伝送された補助チャネル信号を取得し、次に前記主チャネル信号と前記補助チャネル信号に対してそれぞれデジタル領域チャネル特性マッチング処理を行って、主チャネル特性マッチング信号と補助チャネル特性マッチング信号を取得し、さらに信号相殺を行うように、受信チャネルに結合された前記主チャネル特性マッチング信号と前記補助チャネル特性マッチング信号に対して、結合処理を行う。これにより、本発明の実施形態は、デジタル領域にチャネル特性マッチング制御を実現し、ソースに共通する異なる経路で伝播された信号をターゲット点に相殺させることで、信号漏洩、即ち信号干渉を除去する目的を達成し、アナログ領域信号相殺技術に比べて、制御がさらに精細となり、相殺効果が良く、特に広帯域の信号相殺に適合する。
【図面の簡単な説明】
【００１７】
【図１】本発明の実施形態に係る無線通信システムの信号相殺方法の実現プロセスを示す図である。
【図２】本発明の実施形態に係る無線通信システムの信号相殺装置の構成構造を示す図である。
【図３】図２に示すデジタル領域チャネル特性マッチング装置の第一の構成構造を示す図である。
【図４】図２に示すデジタル領域チャネル特性マッチング装置の第二の構成構造を示す図である。
【図５】図２に示すデジタル領域チャネル特性マッチング装置の第三の構成構造を示す図である。
【図６】本発明の第一の実施形態に係る信号相殺装置の構成構造を示す図である。
【図７】本発明の第二の実施形態に係る信号相殺装置の構成構造を示す図である。
【図８】本発明の第三の実施形態に係る信号相殺装置の構成構造図である。
【図９】本発明の第四の実施形態に係るデジタル制御搬送波相殺装置の構成構造を示す図である。
【図１０】本発明の第五の実施形態に係るデジタル制御自己ブロック相殺装置の構成構造を示す図である。
【図１１】本発明の第六の実施形態に係るデジタル制御自己干渉相殺装置の構成構造を示す図である。
【発明を実施するための形態】
【００１８】
以下、図面を参照して本発明の好ましい実施形態を詳しく説明する。以下に説明される好ましい実施形態は、本発明を説明および解釈するためにのみ用いられ、本発明の保護範囲を限定することに用いられるものではない。
【００１９】
図１は本発明の実施形態に係る無線通信システムの信号相殺方法の実現プロセスを示す図である。図１に示すように、前記方法は、以下のステップを含む。
【００２０】
ステップＳ１１において、送信信号に対して分岐処理を行って、主チャネルで伝送された主チャネル信号と補助チャネルで伝送された補助チャネル信号を取得する。
【００２１】
ここで、前記主チャネルと補助チャネルは、線形チャネルであり、前記主チャネルと補助チャネルが増幅ユニット、減衰ユニット、フィルタリングユニット、周波数変換ユニット、アナログ−デジタル変換ユニット（ＡＤＣ：Ａｎａｌｏｇ  ｔｏ  Ｄｉｇｉｔａｌ  Ｃｏｎｖｅｒｔｅｒ）、デジタル−アナログ変換ユニット（ＤＡＣ：Ｄｉｇｉｔａｌ  ｔｏ  Ａｎａｌｏｇ  Ｃｏｎｖｅｒｔ）、電力増幅ユニットなどの線形ユニットを含むがこれらに限られない。
【００２２】
ステップＳ１２において、前記主チャネル信号と前記補助チャネル信号に対してそれぞれデジタル領域チャネル特性マッチング処理を行って、主チャネル特性マッチング信号と補助チャネル特性マッチング信号を取得する。
【００２３】
ここで、前記主チャネル信号と前記補助チャネル信号に対してそれぞれデジタル領域チャネル特性マッチング処理を行って、主チャネル特性マッチング信号と補助チャネル特性マッチング信号を取得することは、
主チャネルで伝送された前記主チャネル信号に対してデジタル領域固定遅延処理を行って、主チャネル特性マッチング信号を取得し、
補助チャネルで伝送された前記補助チャネル信号に対してデジタル領域マッチングフィルタリング処理を行って、補助チャネル特性マッチング信号を取得し、または、補助チャネルで伝送された前記補助チャネル信号に対してデジタル領域位相調整、振幅調整、遅延調整を行って、補助チャネル特性マッチング信号を取得し、または、補助チャネルで伝送された前記補助チャネル信号に対してデジタル領域周波数帯域分割を行って、複数の補助チャネルサブ信号を取得した後、各補助チャネル入力サブ信号に対してマッチングフィルタリング処理を行って、または、位相調整、振幅調整、遅延調整を行って、複数の補助チャネル特性マッチングサブ信号を取得し、さらに前記複数の補助チャネル特性マッチングサブ信号に対して、結合処理を行って、補助チャネル特性マッチング信号を取得することを含む。
【００２４】
ステップＳ１３において、信号相殺を行うように、受信チャネルに結合された前記主チャネル特性マッチング信号と前記補助チャネル特性マッチング信号に対して、結合処理を行う。
【００２５】
前記ステップＳ１３の後、前記方法は、
取得された出力信号を検出することと、
出力信号を検出した場合、前記出力信号の搬送波エネルギー値とエネルギー閾値を比較することと、
前記出力信号の搬送波エネルギー値が前記エネルギー閾値より大きいことを確定した場合、前記主チャネルで伝送された信号と前記補助チャネルで伝送された信号を相殺させるように、前記出力信号の搬送波エネルギー値に基づいて、前記主チャネルと前記補助チャネルのチャネル特性を調整することと、
前記出力信号の搬送波エネルギー値が前記エネルギー閾値より以下であることを確定した場合、前記主チャネルと前記補助チャネルのチャネル特性を維持することとを含む。
【００２６】
図２は本発明の実施形態に係る無線通信システムの信号相殺装置の構成構造を示す図である。図２に示すように、前記装置は、分岐モジュール１０１、主チャネル１０２、補助チャネル１０３、デジタル領域チャネル特性マッチング装置１０４と相殺モジュール１０５を含む。
【００２７】
ここで、前記分岐モジュール１０１は、送信信号に対して分岐処理を行って、主チャネル１０２で伝送された主チャネル信号と補助チャネル１０３で伝送された補助チャネル信号を取得するように構成される。すなわち、前記分岐モジュール１０１は、入力された送信信号を２つの信号に分岐し、そしてそれぞれ主チャネルと補助チャネルに提供する。前記分岐モジュールの実現に対して、実際の需要に応じて例えば同相分岐器、逆方向分岐器、３ｄＢブリッジ、不等分分岐器、マルチ分岐器、カプラーなどを採用することができる。
【００２８】
ここで、前記主チャネル１０２と補助チャネル１０３は、実際の状況に応じて純粋なデジタル形態であってよく、アナログおよびデジタル混合形態であってもよく、純粋なアナログ形態であってもよい。主チャネル１０２と補助チャネル１０３は、増幅ユニット、減衰ユニット、フィルタリングユニット、周波数変換ユニット、アナログ−デジタル変換またはデジタル−アナログ変換ユニット、電力増幅などの線形ユニットを含むことができるがこれらに限られない。実施の過程において、リンク指標割り当てを行う場合、主チャネルと補助チャネルのリンク利得差、位相差、伝播遅延差は、デジタル領域チャネル特性マッチング装置１０４の調整範囲にマッチングされるべきである。
【００２９】
良い相殺効果を保証するために、主チャネル１０２と補助チャネル１０３に周波数変換ユニットがあると、当該相殺装置の周波数変換のクロックと局部発振器が直接ソースに共通することを要求する。前記直接ソースに共通することは、同じ発振源から出力されることであり、間接1つの基準ソースをロックすることではなく、即ち同じ発振源によって入力され、分岐、チャネル伝送といくつかの必要な線形変換を経て主チャネルおよび補助チャネルのクロックまたは局部発振器とされる。
【００３０】
良い相殺効果を保証するために、主チャネル１０２と補助チャネル１０３のＡ／ＤまたはＤ／Ａのサンプルクロックは、間接基準ソースをクロックすることではなく直接ソースに共通しなければならなく、即ち同じ発振源によって入力され、分岐、チャネル伝送といくつかの必要な線形変換を経て主および補助チャネルのクロックまたは局部発振器とされる。Ａ／ＤまたはＤ／Ａの使用上、低い背景ノイズ、高い飽和電力を原則として選択する。
【００３１】
良い相殺効果を保証するために、補助チャネル１０３の振幅-周波数特性と群遅延特性がターゲット相殺周波数帯域にできるだけ平坦であることを要求し、且つ補助チャネル１０３自体によって生成されたスプリアス、非線形生成物とノイズが相殺モジュール１０５の入力端に相殺帯域内に落ち込むことを要求するエネルギー要求は次のとおりである：スプリアス、非線形生成物とノイズエネルギースペクトル密度≦サンプル信号エネルギー密度−ターゲット相殺量（ｄＢ）−１０。好ましくは、良い相殺効果を保証するために、補助チャネル１０３に対して、分岐点にターゲット周波数帯域より高い周波数成分が存在すると、フィルタリングなどの措置を採ってこれらの関連しない周波数成分を抑制して、補助チャネル１０３の良い動態を保証する。
【００３２】
ここで、前記デジタル領域チャネル特性マッチング装置１０４は、デジタル領域に主チャネルおよび／または補助チャネルの振幅、位相、遅延などのパラメータを調整することで、前記２つのチャネルの信号の相殺モジュール１０５の結合点での振幅、遅延が等しくなり、位相が逆となる。前記デジタル領域チャネル特性マッチング装置１０４は、デジタル領域チャネル特性マッチング実行モジュール１０４−１とチャネル特性計算制御モジュール１０４−２を含む。
【００３３】
前記デジタル領域チャネル特性マッチング実行モジュール１０４−１は、前記主チャネル信号と前記補助チャネル信号に対してそれぞれデジタル領域チャネル特性マッチング処理を行って、主チャネル特性マッチング信号と補助チャネル特性マッチング信号を取得するように構成される。前記デジタル領域チャネル特性マッチング実行モジュール１０４−１は、チャネル特性計算制御モジュール１０４−２から与えられたデータおよび命令に基づいて、チャネル特性マッチング計算を行い、そしてデジタル領域にチャネル特性マッチングを実行し、主チャネル、補助チャネルをチャネルマッチングに達させて、主チャネル、補助チャネルで伝送された信号を相殺モジュール１０５の結合点に相殺させることを達成する。
【００３４】
前記チャネル特性計算制御モジュール１０４−２は、結合処理の後に取得された出力信号を検出し、出力信号を検出した場合、前記出力信号の搬送波エネルギー値とエネルギー閾値を比較し、前記出力信号の搬送波エネルギー値がエネルギー閾値より大きいと、前記主チャネルで伝送された信号と前記補助チャネルで伝送された信号を相殺させるように前記出力信号の搬送波エネルギー値に基づいて、前記主チャネルと前記補助チャネルのチャネル特性を調整し、そうでなければ、前記主チャネルと前記補助チャネルのチャネル特性を維持するように構成される。
【００３５】
前記チャネル特性計算制御モジュール１０４−２は、第一の検出器、第一の比較器、第一の調整器および第一の保持器を含む。
【００３６】
前記第一の検出器は、結合処理の後に取得された出力信号を検出するように構成される。
【００３７】
前記第一の比較器は、出力信号を検出した場合、前記出力信号の搬送波エネルギー値とエネルギー閾値を比較するように構成される。
【００３８】
前記第一の調整器は、前記出力信号の搬送波エネルギー値がエネルギー閾値より大きいことを確定した場合、前記主チャネルで伝送された信号と前記補助チャネルで伝送された信号を相殺させるように前記出力信号の搬送波エネルギー値に基づいて、前記主チャネルと前記補助チャネルのチャネル特性を調整するように構成される。
【００３９】
前記第一の保持器は、前記出力信号の搬送波エネルギー値が前記エネルギー閾値より以下であることを確定した場合、前記主チャネルと前記補助チャネルのチャネル特性を維持するように構成される。
【００４０】
即ち、前記チャネル特性マッチング計算制御モジュール１０４−２は、チャネル特性を正確に計算し、命令およびデータを処理してデジタル領域チャネル特性マッチング実行モジュール１０４−１に送信し、デジタル領域チャネル特性マッチング実行モジュール１０４−１によって実行され、主チャネルと補助チャネルのチャネル特性をマッチングに達させて、主チャネルと補助チャネルで伝送された信号を相殺モジュール１０５の結合点に相殺させる。主チャネルと補助チャネルのチャネル特性マッチングとは、主チャネルで伝送された信号と補助チャネルで伝送された信号の相殺モジュール１０５の結合点での振動幅が等しくなり、位相が逆になり、遅延が等しくなることである。
【００４１】
ここで、前記相殺モジュール１０５は、信号相殺を行うように、受信チャネルに結合された前記主チャネル特性マッチング信号と前記補助チャネル特性マッチング信号に対して、結合処理を行うように構成される。前記相殺モジュール１０５の基本的な特徴は、２つの入力ポート、１つの出力ポートを有し、内部に結合端点があり、結合点と略称されることである。前記結合点は、前記相殺モジュールの３つのポートの内部信号伝送の相互接続されている交差点である。前記相殺モジュール１０５は、結合器／分岐器、カプラー、ブリッジなどのアナログ部材により実現されることができ、デジタル領域の加算器と減算器などの部材により実現されることもできる。リンク割り当ては、具体的な部材を使用して確定された相殺モジュールの入力端のレベルなどに応じる必要がある。
【００４２】
即ち、前記送信信号は、分岐モジュール１０１により２つの信号に分岐され、１つの信号が主チャネル１０２で伝送され、別の信号が補助チャネル１０３で伝送され、主チャネルと補助チャネルがそれぞれのチャネル特性を有する。主チャネルおよび／または補助チャネルの信号に対イして、デジタル領域チャネル特性マッチング装置１０４がデジタル領域にチャネル特性をマッチングすることにより、主チャネル信号と補助チャネル信号の相殺モジュール１０５内の結合点での振幅が等しくなり、位相が逆になり、遅延が等しくなり、その後、相殺し、信号相殺目的を達成する。
【００４３】
図２における前記デジタル領域チャネル特性マッチング装置１０４は、デジタル領域チャネル特性マッチング実行モジュール１０４−1とチャネル特性マッチング計算制御装置１０４−２の２つの部分から構成される。チャネル特性マッチング計算制御モジュール１０４−２に対して、インタフェースにおいて複数の検出入力インタフェース、システムインタラクティブインタフェース、およびデジタル領域チャネル特性マッチング実行モジュール１０４−１の制御インタフェースを残しておく必要がある。実施の過程において、異なる状況に応じてデジタル領域チャネル特性マッチング装置１０４の構成を選択する。チャネル特性マッチングモジュールの構成は、図３〜図５に示すいくつかの状況があるがこれらに限られない。
【００４４】
図３は図２に示すデジタル領域チャネル特性マッチング装置の第一の構成構造を示す図である。図３に示すように、デジタル領域チャネル特性マッチング装置は、デジタル領域チャネル特性マッチング実行モジュール１０４−１とチャネル特性計算制御装置１０４−２を含み、前記デジタル領域チャネル特性マッチング実行モジュール１０４−１が固定遅延器３０１とデジタルマッチングフィルタ３０２とを含む。
【００４５】
図３において、前記デジタル領域チャネル特性マッチング装置は、固定遅延器３０１を主チャネル特性マッチング実行モジュールとして使用して、主チャネルで伝送された前記主チャネル信号に対してデジタル領域固定遅延処理を行って、主チャネル特性マッチング信号を取得し、前記デジタル領域チャネル特性マッチング装置は、デジタル領域マッチングフィルタ３０２を補助チャネル特性マッチング実行モジュールとして使用して、補助チャネルで伝送された前記補助チャネル信号に対してデジタル領域マッチングフィルタリング処理を行って、補助チャネル特性マッチング信号を取得する。この場合、チャネル特性計算制御モジュール１０４−１は、前記デジタルマッチングフィルタ３０２のパラメータを計算して更新する。主チャネルが正常通信の流れの作用を担持する場合が多いので、デジタルマッチングフィルタ３０２が一般的に補助チャネルに置き、このようにして主チャネルの振幅位相特性に影響を与えない。チャネル特性計算制御モジュール１０４−１は、前記デジタルマッチングフィルタ３０２のパラメータを計算して更新する方式は、オフラインパラメータを予め記憶する制御方式、周期的チャネル特性監視および推定方式、相殺効果ゼロフォーシング制御方式などがあるがこれらに限られない。
【００４６】
図４は図２に示すデジタル領域チャネル特性マッチング装置の第二の構成構造を示す図である。図４に示すように、前記デジタル領域チャネル特性マッチング装置は、デジタル領域チャネル特性マッチング実行モジュール１０４−１とチャネル特性計算制御モジュール１０４−２を含み、前記デジタル領域チャネル特性マッチング実行モジュール１０４−１が固定遅延器３０１と位相振幅遅延調整器４００を含み、前記位相振幅遅延調整器４００は、フェイザー４０１、振幅調整器４０２と遅延調整器４０３を含む。
【００４７】
図４において、前記デジタル領域チャネル特性マッチング装置は、位相振幅遅延調整器４００を使用してチャネル特性マッチング目的を達成する。前記フェイザー４０１、振幅調整器４０２、遅延調整器４０３は、需要に応じて主チャネルまたは補助チャネルのいずかの位置に置くことができ、需要に応じて集中して置くまたは分離して置くことができる。前記フェイザー４０１は、主チャネルまたは補助チャネルに１つ置けばよく、一般的に補助チャネルに置く。前記振幅調整器４０２は、主チャネルまたは補助チャネルに１つ置けばよく、一般的に補助チャネルに置く。前記遅延調整器４０３は、主チャネルまたは補助チャネルに１つ置けばよく、一般的に補助チャネルに置く。遅延調整器４０３が１つの方向だけ遅れて調整することができるので、主チャネルのチャネル遅延が補助チャネル遅延より短く、且つ遅延調整器４０３が補助チャネルに位置すると、主チャネルは、１つの固定遅延器３０１を増加しなければならなく、当該遅延値が主チャネル信号遅延差より大きい。即ち、前記主チャネル信号と前記補助チャネル信号に対してそれぞれデジタル領域チャネル特性マッチング処理を行うステップは、固定遅延処理、位相調整、振幅調整および遅延調整を含み、そのなか、前記固定遅延処理が主チャネルで完了され、位相調整または振幅調整または遅延調整が主チャネルまたは補助チャネルのうちの一つで完了される。
【００４８】
図４に示すデジタル領域チャネル特性マッチング装置は、最適な構造であり、即ち主チャネルに固定遅延器３０１を設置し、主チャネルで伝送された前記主チャネル信号に対してデジタル領域固定遅延処理を行い、主チャネル特性マッチング信号を取得し、そして補助チャネルにフェイザー４０１、振幅調整器４０２と遅延調整器４０３を設置し、補助チャネルで伝送された前記補助チャネル信号に対してデジタル領域位相調整、振幅調整、遅延調整を行い、補助チャネル特性マッチング信号を取得する。
【００４９】
図５は図２に示すデジタル領域チャネル特性マッチング装置の第３の構成構造を示す図である。図５に示すように、前記デジタル領域チャネル特性マッチング装置は、デジタル領域チャネル特性マッチング実行モジュール１０４−１とチャネル特性計算制御装置１０４−２を含む。
【００５０】
図５に示すデジタル領域チャネル特性マッチング装置は、図３と図４に基づいて、特性マッチングを行う必要がある周波数帯域を若干のサブ周波数帯域に細分化し、その後各サブ周波数帯域に対してチャネル特性マッチングを実行することを特徴とする。スペクトルの細分化粒度に対して、システム要求とリソース要求に応じて折衷選択を行うことができる。図５に示すように、主チャネルの固定遅延器を使用して主チャネルで伝送された前記主チャネル信号に対してデジタル領域固定遅延処理を行い、主チャネル特性マッチング信号を取得する。まず、複数のバンドパスフィルタ５０１、Ｂ１〜Ｂｎを利用して、補助チャネルで伝送された前記補助チャネル信号に対してデジタル領域周波数帯域分割を行い、複数の補助チャネルサブ信号を取得する。次に、デジタルマッチングフィルタ３０２を使用して各補助チャネル入力サブ信号に対してマッチングフィルタ処理を行って、または位相振幅遅延調整器４００を使用して位相調整、振幅調整、遅延調整を行って、複数の補助チャネル特性マッチングサブ信号を取得する。最後、結合器５０２を使用して前記複数の補助チャネル特性マッチングサブ信号を結合処理を行って、補助チャネル特性マッチング信号を取得する。
【００５１】
具体的な実施形態において、デジタル領域チャネルマッチング装置は、実際の状況に応じて、前記信号相殺装置での位置が複数であってよく、以下の図６〜図８に示す状況に限られない。
【００５２】
図６は本発明の第一の実施形態に係る信号相殺装置の構成構造を示す図である。図６に示すように、送信信号の入力部、分岐モジュール１０１、デジタル領域チャネル特性マッチング装置１０４、主チャネルデジタル部と補助チャネルデジタル部がデジタル領域に位置し、主チャネルアナログ部、補助チャネルアナログ部と相殺モジュール１０５は、アナログ領域に位置する。
【００５３】
図７は本発明の第二の実施形態に係る信号相殺装置の構成構造を示す図である。図７に示すように、主チャネルデジタル部、補助チャネルデジタル部、デジタル領域チャネル特性マッチング装置１０４、相殺モジュール１０５と信号出力部がデジタル領域に位置し、分類モジュール１０１、主チャネルアナログ部、補助チャネルアナログ部がアナログ領域に位置する。
【００５４】
図８は本発明の第３の実施形態に係る信号相殺装置の構成構造を示す図である。図８に示すように、デジタル領域チャネル特性マッチング装置１０４のみがデジタル領域に位置し、分岐モジュール１０１、主チャネルアナログ部１および主チャネルアナログ部２、補助チャネルアナログ部１および補助チャネルアナログ部２、相殺モジュール１０５と遅延器８０１がアナログ領域に位置する。この場合に、デジタル領域チャネル特性マッチングモジュール１４０−１は、補助チャネルに置いて、位相補正、振幅補正、遅延補正などを行う。この場合での補助チャネルの伝送遅延が大きいので、主チャネル経路に１つの遅延器８０１を追加して、主チャネル伝送遅延を補助チャネル伝送遅延よりよりも僅かに大きくする必要がある。
【００５５】
デジタルプリディストーション（ＤＰＤ：Ｄｉｇｉｔａｌ  Ｐｒｅ−Ｄｉｓｔｏｒｔｉｏｎ）フィードバック回路で、従来方式において搬送波信号と非線形成分が一緒にフィードバックされ、搬送波信号エネルギーが強く且つＡＤＣの動態範囲が限られないので、ＤＰＤ改善要求が高い場合に、ＡＤＣが要求を満たす動態範囲を提供してエネルギーの低い非線形残差成分を識別することができないことをフィードバックする。したがって、搬送波相殺によりフィードバック回路の動態を改善することができる。図９は本発明の第４の実施形態に係るデジタル制御搬送波相殺装置の構成構造を示す図である。図９に示すように、ＤＰＤ下りリング送信チャネルに、下りリンクソース信号とＤＰＤモジュールの入力同士が搬送波として主チャネルと補助チャネルの分岐点を相殺することができ、そのなか、前記下りリンクソース信号は即ちＩＱベースバンドデータがチャネル処理、デジタルアップ変換（ＤＵＣ：Ｄｉｇｉｔａｌ  Ｕｐ  Ｃｏｎｖｅｒｓｉｏｎ）およびピーク要因比（ＧＦＲ：Ｇｒｅｓｔ  Ｆａｃｔｏｒ  Ｒａｔｉｏ）を経った後の信号である。分岐点を通過した主チャネル信号は、ＤＰＤ９０１、固定遅延器３０１、ＤＡＣ９０２、主送信ＴＸアナログチャネル部９０３（主ＴＸチャネル）、電力増幅器（ＰＡ：Ｐｏｗｅｒ  Ａｍｐｌｉｆｉｅｒ）９０４を通過した後に、カプラー９０５を通過し、カプラー９０５の主エネルギーが二重フィードバックシステム９０６３に出力され、カプラー９０５のサンプルエネルギーが相殺モジュール１０５に入る。分岐点からの補助チャネル信号は、デジタルマッチングフィルタ３０２または位相振幅遅延調整器４００、ＤＡＣ９０７、補助送信ＴＸアナログチャネル部９０８（補助ＴＸチャネル）を通過して、相殺モジュール１０５に入力される。相殺モジュール１０５からの出力信号は、アナログフィードバックチャネルを通過してＡＤＣ９１０、検出器９１１に入って、チャネル特性計算制御モジュール１０４−２に出力され、前記チャネル特性計算制御モジュール１０４−２が前記出力信号に基づいてデジタルマッチングフィルタ３０２または位相振幅遅延調整器４００のパラメータを制御するようにし、受信チャネルにおける搬送波エネルギーが効果的に相殺される。
【００５６】
よい相殺効果を取得するために、主ＴＸチャネル９０３と補助ＴＸチャネル９０８が局部発振器に共通しなければならなく、前記補助ＴＸチャネルが高い線形を要求し、リンク割り当てを行う時に、当該チャネルが相互変調成分が当該チャネルで伝送されたＤＰＤ改善後の非線形成分より１０ｄＢ低く要求される。
【００５７】
本発明の実施形態の実施の過程において、ソフトウェアアルゴリズムをハードウェアシステムと組み合わせて主チャネル、補助チャネルのチャネル特性を評価し、その後正確にマッチングすることができ、ソフトウェアアルゴリズムをハードウェアシステムと組み合わせるプロセスは、次の通りである。
【００５８】
ステップ０１０において、補助チャネル信号をオフにし、主チャネルが正常に動作し、訓練シーケンスで分岐点からＡＤＣ入力までのチャネル特性を特性し、第一の伝送関数ＨＭ（ｆ）を取得する。
【００５９】
ステップ０２０において、主チャネル信号をオフにし、補助チャネルが正常に動作し、訓練シーケンスで分岐点からＡＤＣ入力までのチャネル特性を測定し、第二の伝送関数Ｈｓ（ｆ）を取得する。
【００６０】
ステップ０３０において、第一の伝送関数ＨＭ（ｆ）と第二の伝送関数Ｈｓ（ｆ）に基づいて、補正関数ΔＨ（ｆ）＝-（ＨＭ（ｆ）／Ｈｓ（ｆ））を計算する。
【００６１】
ステップ０４０において、前記補正関数に基づいて、マッチングフィルタのパラメータまたは位相振幅遅延調整器４００のパラメータを調整して、初期調整結果を取得する。
【００６２】
ステップ０５０において、主チャネルと補助チャネルは、すべてオープンにされる。
【００６３】
ステップ０６０において、システムは、フィードバックチャネルの搬送波エネルギーを周期的に検出する。具体的には、システムは、結合処理の後に取得された出力信号を周期的に検出し、出力信号を検出した場合、前記出力信号のエネルギー値を取得する。
【００６４】
ステップ０７０において、搬送波エネルギーがターゲット閾値レベル即ちエネルギー閾値より小さいかどうかを判定する。具体的には、前記出力信号の搬送波エネルギー値とエネルギー閾値を比較し、前記出力信号の搬送波エネルギー値がエネルギー閾値より大きい場合、ステップ０９０を実行し、大きくない場合、ステップ０８０を実行する。
【００６５】
ステップ０８０において、ターゲットレベルより小さい場合、調整を停止し、即ち前記主チャネルと前記補助チャネルのチャネル特性を維持し、そしてステップ０６０に入る。
【００６６】
ステップ０９０において、前記主チャネルで伝送された信号と前記補助チャネルで伝送された信号を相殺させるようにフィードバックチャネルの搬送波エネルギーに基づいてゼロフォーシング最適化デバッグを行い、即ち前記出力信号の搬送波エネルギー値に基づいて、前記主チャネルと前記補助チャネルのチャネル特性を調整し、その後ステップ０６０に入る。
【００６７】
ＧＳＭ９００マルチ搬送波基地局システムにおいて、本発明の実施形態４に示す方式を使用して搬送波相殺を行い、デジタル領域チャネル特性マッチング装置が各搬送（２００ＫＨｚ）を単位としてマッチング制御を行い、ゼロフォーシングアルゴリズムでクローズドループ制御を行い、５０ｄＢより大きい搬送波相殺改善を取得し、そのなか、前記ＧＳＭ９００マルチ搬送波即ち４搬送波が２５ＭＨｚ帯域に分布する。
【００６８】
図１０は本発明の第５の実施形態に係るデジタル制御自分ブロック相殺装置の構成構造を示す図である。図１０に示すように、ＦＤＤ二重受信機は、受動型デュプレクサの受信側フィルタにより下りリンクチャネルのＴＸ搬送波信号を受信チャネルの自動利得制御（ＡＧＣ：Ａｕｔｏｍａｔｉｃ  Ｇａｉｎ  Ｃｏｎｔｒｏｌ）を満たす制御点のレベル未満に抑制し、受信機に影響を与えなく、そのなか、前記アＡＧＣ制御点のレベルが受信機の低ノイズ増幅器（ＬＮＡ：Ｌｏｗ  Ｎｏｉｓｅ  Ａｍｐｌｉｆｉｅｒ）の入力端に位置する。本発明の第５の実施形態は、デジタル制御相殺技術により受信機の入力端にデュプレクサから漏洩された下りリンク搬送波信号を抑制することで、受動型デュプレクサの抑制を効果的に分担することができる。
【００６９】
本発明の第４の実施形態と同様に、信号相殺点を受信機の入力端に置くだけである。下りリンクソース信号とＤＰＤ  １００１の入力同士は主信号と補助チャネルの分岐点とされてよい。主チャネル信号は、分岐点からＤＰＤ１００１、固定遅延器３０１、ＤＡＣ１００２、主ＴＸチャネル１００３を介して、ＰＡ  １００４を通過して、デュプレクサ１００５に入り、デュプレクサ１００５の主エネルギーがアンテナシステム１００６を介して放出され、一部のエネルギーが受信機の入力端に漏洩され、相殺モジュール１０５に入り、受信機の性能に影響を与えないために、カプラーを使用して実現することができる。
【００７０】
補助チャネル信号は、分岐点からデジタルマッチングフィルタ３０２または位相振幅遅延調整器４００、ＤＡＣ１００７、補助ＴＸチャネル１００８を介して、１つのフィルタ１００９を通過して相殺モジュール１０５に入り、前記フィルタ１００９の通過帯域がＴＸ帯域であり、ブロック帯域がＲＸ帯域である。
【００７１】
よい相殺効果を取得するために、主ＴＸチャネル１００８と補助ＴＸチャネル１００９は、局部発振器に共通しなければならなく、補助ＴＸチャネル１００８がＲＸ帯域に落ち込んだ非線形成分とノイズのエネルギーを背景ノイズの以下に抑制しなければならなく、当該点が合理的なリンクバジェットとフィルタの抑制により到達し、その中、背景ノイズに抑制する時に相殺点を基準面とする。
【００７２】
本発明の実施形態５の実施中、ソフトウェアアルゴリズムをハードウェアシステムと組み合わせて主チャネル、補助チャネルの特性を評価し、その後正確にマッチングすることができ、ソフトウェアアルゴリズムがフィードバックチャネルの本発明の実施形態４の実現プロセスと同じであるので、ここで説明は、省略する。
【００７３】
図１１は本発明の第６の実施形態に係るデジタル制御自己干渉相殺装置の構成構造を示す図である。図１１に示すように、前記装置は、ＦＤＤ二重受信機自己干渉相殺装置であり、下りリンクチャネルから受信チャネルの受信周波数帯域に漏洩されたスプリアス信号を相殺することに用いられる。ＰＡ出力端の受信帯域内のスプリアス信号が下りリンクチャネルによって生成された、受信帯域に落ち込んだ非線形成分と背景ノイズを含み、デュプレクサのＴＸフィルタにより受信帯域のスプリアスを抑制した後、一部の残りスプリアスが受信チャネルに漏洩され、この部分のスプリアスが受信チャネルの受信信号と周波数帯域に共通するので、受信チャネルにフィルタリングにより抑制されることができない。従来方式は、ＦＤＤデュプレクサのＴＸフィルタの十分に高い抑制により、下りリンクチャネルのスプリアスの漏洩が受信機の動作に影響を与えないことを保証する。
【００７４】
本発明の実施形態６に係る装置は、信号相殺により一部のスプリアス抑制を実現して、デュプレクサのＴＸフィルタの抑制を分担する。信号相殺装置の構成に応じて説明し、前記相殺装置の入力信号がＰＡから出力された受信帯域に落ち込んだスプリアス信号であり、ＰＡ出力端のサンプルカプラーが相殺モジュール１０５の主チャネルと補助チャネルの分岐点とされる。
【００７５】
主チャネル信号は、ＦＤＤデュプレクサのＴＸフィルタによりフィルタリングされて抑制され、装置のアンテナポートに到達し、一部のエネルギーがアンテナポートを介して放出され、エアインターフェイススプリアスを形成し、一部がデュプレクサのＲＸフィルタに入り、ＲＸフィルタが主チャネルのスプリアスを通過させ、抑制作用を発生しなく、スプリアス信号は、ＲＸフィルタを通過した後、ＲＸ受信機に入り、ＲＸ受信機に沿って、すっとデジタル領域のデジタル相殺モジュール１０５に到達する。その間にＬＮＡ、ＲＸ無線周波数フィルタ、ミキサ、中間周波フィルタ、電気的可変減衰器、中間周波増幅器、ＡＤＣなどの受信機の各セグメントを通過する。
【００７６】
補助チャネル信号に対して電力出力端のサンプルカプラーから一部の入力信号を取得し、ＲＸ帯域のスプリアス信号に対して補助チャネルの十分な動的帯域幅を保証するために、搬送波抑制モジュール、ＲＸ帯域スプリアスのフィルタにより結合サンプル信号のうちの下りリンク搬送波信号を抑制する。搬送波が抑制された補助チャネル信号は、ＬＮＡ、ミキサ、中間周波フィルタ、電気的可変減衰器、中間周波増幅器、ＡＤＣなどのセグメントを通過してデジタル領域に入る。
【００７７】
デジタル領域にデジタルマッチングフィルタ３０２または位相振幅遅延調整器４００を通過した後、相殺モジュール１０５に入り、相殺モジュール１０５が入力された２つの信号を相殺し、ＲＸチャネルの他の部分、即ち受信機のチャネルの他の部分に出力する。
【００７８】
本発明の実施形態６に係るチャネル特性計算制御モジュール１０４−２は、主チャネルＡＤＣと補助チャネルＡＤＣから出力された信号を同期に読み取ることで、２つの信号に対して関連、均衡などの計算を行って、主チャネルと補助チャネルの違いに対して評価し、評価に基づいてマッチングフィルタまたは位相振幅遅延調整器４００のパラメータを与え、ＰＡ、サンプルカプラーの主チャネルおよび補助チャネルがＲＸ帯域にあるスプリアス信号を相殺させ、受信チャネルの自己干渉漏洩を除去し、アンテナポートから入力された受信信号が干渉を受けないことを保証する。
【００７９】
本発明の実施形態を実施する場合、以下の事項に注意すべきである。
【００８０】
１．補助チャネルの初段増幅器の前に、ＲＸ帯域のスプリアスの減衰量が大きく減衰することはできない。減衰されたＲＸ帯域のスプリアススペクトル密度が補助チャネルの初段増幅器およびその後のリンク全体などが増幅器の入力口に等価する熱ノイズスペクトル密度よりＸｄＢ大きいことを保証する必要がある。前記Ｘの計算式は、Ｘ＝ζ＋１０である。そのなか、ζが自己干渉相殺装置のターゲット改善量であり、単位がｄＢであり、例えばターゲット自己干渉相殺量が４０ｄＢであると、Ｘ＝５０ｄＢとなる。補助チャネルが初段増幅器に等価するノイズ係数が５ｄＢであると仮定し、２５度の場合で、熱背景ノイズスペクトル密度が−１０９ｄＢｍ／ＭＨｚであると、減衰されたＲＸ帯域のスプリアススペクトル密度がー５９ｄＢｍ／ＭＨｚ以下に要求され、ＰＡの出力端がＲＸ帯域にあるスプリアススペクトル密度がー３０ｄＢ／ＭＨｚであると仮定し、ＰＡの出力から初段増幅器までのＲＸの減衰量が２９ｄＢより大きくなることはできない。
【００８１】
２．補助チャネルの搬送波抑制フィルタの抑制量が搬送波信号エネルギーへの十分な抑制を満たしなければならなく、搬送波信号エネルギーが補助チャネルに生成した非線形成分スペクトル密度が熱背景ノイズスペクトル密度より１０ｄＢ以上低いことを保証する。
【００８２】
３．主チャネルと補助チャネルが混合する場合、よい相殺効果を取得するように局部発振器に共通しなければならない。
【００８３】
４．補助チャネル信号を効果的に解析するために、補助チャネルからＡＤＣに入力された熱背景ノイズスペクトル密度レベルがＡＤＣ自体の背景ノイズより１０ｄＢ以上高く要求される。
【００８４】
上述したように、本発明の実施形態は、ソースに共通する異なる経路で伝播された信号をターゲット点に相殺させ、信号漏洩即ち信号干渉を除去する目的を達成することができるという技術的効果を有する。
【００８５】
本発明の実施形態に係る無線通信システムの信号相殺装置における分岐モジュール、デジタル領域チャネル特性マッチング実行モジュール、相殺モジュールとチャネル特性計算制御モジュール、およびデジタル領域チャネル特性マッチング実行モジュールにおける固定遅延器、デジタルマッチングフィルタ、位相振幅遅延調整器と結合器、およびチャネル特性計算制御モジュールにおける第一の検出器、第一の比較器、第一の調整器と第一の保持器は、すべて無線通信システムの処理により実現されることができ、具体的な論理回路により実現されることもでき、例えば、実際の応用において、中央処理装置（ＣＰＵ：Ｃｅｎｔｒａｌ  Ｐｒｏｃｅｓｓｉｎｇ  Ｕｎｉｔ）、マイクロプロセッサ（ＭＰＵ：Ｍｉｃｒｏ  Ｐｒｏｃｅｓｓｏｒ  Ｕｎｉｔ）、デジタル信号プロセッサ（ＤＳＰ：Ｄｉｇｉｔａｌ  Ｓｉｇｎａｌ  Ｐｒｏｃｅｓｓｏｒ）、またはフィールドプログラマブルゲートアレイ（ＰＦＧＡ：Ｆｉｅｌｄ  Ｐｒｏｇｒａｍｍａｂｌｅ  Ｇａｔｅ  Ａｒｒａｙ）により実現されることができる。
【００８６】
上記は、本発明の好ましい実施形態に過ぎなく、本発明の特許保護範囲を制限することに用いられるものではない。
【産業上の利用可能性】
【００８７】
本発明の実施形態において、送信信号に対して分岐処理を行って、主チャネルで伝送された主チャネル信号と補助チャネルで伝送された補助チャネル信号を取得し、前記主チャネル信号と前記補助チャネル信号に対してそれぞれデジタル領域チャネル特性マッチング処理を行って、主チャネル特性マッチング信号と補助チャネル特性マッチング信号を取得し、信号相殺を行うように、受信チャネルに結合された前記主チャネル特性マッチング信号と前記補助チャネル特性マッチング信号に対して、結合処理を行う。これにより、本発明の実施形態は、デジタル領域にチャネル特性マッチング制御を実現することで、ソースに共通する異なる経路で伝播された信号をターゲット点に相殺させ、信号漏洩を除去する目的を達成し、アナログ領域信号相殺技術に比べて、制御がより精細であり、相殺効果がより良く、特に広帯域の信号相殺に適合する。
【図１】
2016522626.tif 000003
【図２】
2016522626.tif 000004
【図３】
2016522626.tif 000005
【図４】
2016522626.tif 000006
【図５】
2016522626.tif 000007
【図６】
2016522626.tif 000008
【図７】
2016522626.tif 000009
【図８】
2016522626.tif 000010
【図９】
2016522626.tif 000011
【図１０】
2016522626.tif 000012
【図１１】
2016522626.tif 000013
【国際調査報告】
2016522626.tif 000014
2016522626.tif 000015
2016522626.tif 000016
2016522626.tif 000017